(57)【要約】【課題】  基板厚みを薄くしても円偏波放射が可能であり、さらには、空間伝送されるマイクロ波を受信整流して電力を生成することができる円偏波アンテナ、及びこれを用いたレクテナを得ることを目的とする。【解決手段】  誘電体基板１上にループアンテナ部２、平衡線路３及び摂動素子４を、印刷やエッチング等の手段により形成する。ループアンテナ部２は一の円周に沿うように形成されており、平衡線路３に接続している。摂動素子４は、平衡線路３による給電方向に対して４５度傾斜したループアンテナ部２の位置から中心方向に延在して形成した歯状の部分である。この摂動素子４は、ループアンテナ部２上の対向する２点から、向き合うように設けている。【選択図】        図１
2005340933.tif 000002
【特許請求の範囲】
【請求項１】
誘電体基板と、この誘電体基板の面上に形成した平衡線路と、上記誘電体基板の面上に設けられ、上記平衡線路に接続するループ状に形成されたループアンテナ部と、このループアンテナ部からその中心方向に突起し、対向して設けた歯状の摂動素子とを備えたことを特徴とする円偏波アンテナ。
【請求項２】
上記摂動素子は、クランク状に形成したことを特徴とする請求項１に記載の円偏波アンテナ。
【請求項３】
上記誘電体基板は、薄膜のフィルム基板としたことを特徴とする請求項１に記載の円偏波アンテナ。
【請求項４】
誘電体基板と、この誘電体基板の面上に形成した平衡線路と、上記誘電体基板の面上に設けられ、上記平衡線路に接続するループ状に形成されたループアンテナ部と、このループアンテナ部からその外部方向に突起し、対向して設けたクランク状の摂動素子とを備えたことを特徴とする円偏波アンテナ。
【請求項５】
誘電体基板と、この誘電体基板の面上に形成した平衡線路と、上記誘電体基板の面上に設けられ、上記平衡線路に接続するループ状に形成されたループアンテナ部と、このループアンテナ部からその内部方向に突起し、対向して設けた歯状の第１の摂動素子と、上記ループアンテナ部からその外部方向に突起し、対向して設けたクランク状の第２の摂動素子とを備えたことを特徴とする円偏波アンテナ。
【請求項６】
誘電体基板と、この誘電体基板上に設けられ、ループ状に形成したループアンテナ部と、このループアンテナ部に対向して設けた摂動素子と、上記誘電体基板上に設けられ、上記ループアンテナ部により受信したＲＦ電力を整流する整流回路とを備えたことを特徴とするレクテナ素子。
【請求項７】
上記誘電体基板は、薄膜のフィルム基板としたことを特徴とする請求項６に記載のレクテナ素子。
【請求項８】
誘電体基板と、この誘電体基板上に設けられ、ループ状に形成したループアンテナ部、このループアンテナ部に対向して設けた摂動素子、上記誘電体基板上に設けられ、上記ループアンテナ部により受信したＲＦ電力を整流する整流回路を有する複数のレクテナ素子と、上記レクテナ素子の整流回路入力点のプラス側をそれぞれ結合するストリップ線路、上記レクテナ素子の整流回路入力点のマイナス側をそれぞれ結合するストリップ線路を有して、上記複数のレクテナ素子を並列に接続する合成回路とを備えたことを特徴とするレクテナ。
【請求項９】
誘電体基板と、この誘電体基板上に設けられ、ループ状に形成したループアンテナ部、このループアンテナ部に対向して設けた摂動素子、上記誘電体基板上に設けられ、上記ループアンテナ部により受信したＲＦ電力を整流する整流回路を有する複数のレクテナ素子と、上記複数のレクテナ素子の整流回路を直列に接続して合成する合成回路とを備えたことを特徴とするレクテナ。
【発明の詳細な説明】
【技術分野】
【０００１】
この発明は、送信された円偏波のマイクロ波を受信し、さらに受信マイクロ波を整流して電力を生成をするための円偏波アンテナ、及びこれを用いたレクテナに関するものである。
【背景技術】
【０００２】
例えば、特開平５−１１０３３４号公報には、円偏波用のアンテナ素子の構成が記載されている。この公報に記載されたアンテナは、誘電体基板の裏面に地導体を設け、表面に摂動素子を設けたリングパッチアンテナと、このリングパッチアンテナに非接触に給電部導体パターンを設け、この給電部導体パターンに対して基板裏側から給電する構成のものである。この従来のアンテナ素子は、給電導体パターンへの給電によって、リングパッチアンテナと地導体とによって放射界を形成しており、摂動素子の働きによって円偏波放射ができるものである。
【０００３】
【特許文献１】特開平５−１１０３３４号公報
【発明の開示】
【発明が解決しようとする課題】
【０００４】
特開平５−１１０３３４号公報に開示されたアンテナ素子においては、リングパッチと地導体とで形成される放射界の特性を維持するために、誘電体基板の厚みをある程度確保しておく必要があり、同公報には一例として誘電体基板の厚みをＢ＝１．３ｍｍとする記載がある。このように従来のアンテナ素子が地導体を設けた構成となっていることから、誘電体基板の厚みを薄くすることができないという問題点があった。また、給電線を誘電体基板の裏面側から給電する構成によっても、アンテナ全体の厚みが増してしまうという問題点があった。
【０００５】
この発明は、上記のような問題を解決するためになされたもので、基板厚みを薄くしても円偏波放射が可能であり、さらには、空間伝送されるマイクロ波を受信整流して電力を生成することができる円偏波アンテナ、及びこれを用いたレクテナを得ることを目的とする。
【課題を解決するための手段】
【０００６】
請求項１の発明に係る円偏波アンテナは、誘電体基板と、この誘電体基板の面上に形成した平衡線路と、上記誘電体基板の面上に設けられ、上記平衡線路に接続するループ状に形成されたループアンテナ部と、このループアンテナ部からその中心方向に突起し、対向して設けた歯状の摂動素子とを備えたものである。
【０００７】
請求項２の発明に係る円偏波アンテナは、請求項１の発明に係る円偏波アンテナにおいて、上記摂動素子は、クランク状に形成したものである。
【０００８】
請求項３の発明に係る円偏波アンテナは、請求項１の発明に係る円偏波アンテナにおいて、上記誘電体基板は、薄膜のフィルム基板としたものである。
【０００９】
請求項４の発明に係る円偏波アンテナは、誘電体基板と、この誘電体基板の面上に形成した平衡線路と、上記誘電体基板の面上に設けられ、上記平衡線路に接続するループ状に形成されたループアンテナ部と、このループアンテナ部からその外部方向に突起し、対向して設けたクランク状の摂動素子とを備えたものである。
【００１０】
請求項５の発明に係る円偏波アンテナは、誘電体基板と、この誘電体基板の面上に形成した平衡線路と、上記誘電体基板の面上に設けられ、上記平衡線路に接続するループ状に形成されたループアンテナ部と、このループアンテナ部からその内部方向に突起し、対向して設けた歯状の第１の摂動素子と、上記ループアンテナ部からその外部方向に突起し、対向して設けたクランク状の第２の摂動素子とを備えたものである。
【００１１】
請求項６の発明に係るレクテナ素子は、誘電体基板と、この誘電体基板上に設けられ、ループ状に形成したループアンテナ部と、このループアンテナ部に対向して設けた摂動素子と、上記誘電体基板上に設けられ、上記ループアンテナ部により受信したＲＦ電力を整流する整流回路とを備えたものである。
【００１２】
請求項７の発明に係るレクテナ素子は、請求項６の発明に係るレクテナ素子において、上記誘電体基板は、薄膜のフィルム基板としたものである。
【００１３】
請求項８の発明に係るレクテナは、誘電体基板と、この誘電体基板上に設けられ、ループ状に形成したループアンテナ部、このループアンテナ部に対向して設けた摂動素子、上記誘電体基板上に設けられ、上記ループアンテナ部により受信したＲＦ電力を整流する整流回路を有する複数のレクテナ素子と、上記レクテナ素子の整流回路入力点のプラス側をそれぞれ結合するストリップ線路、上記レクテナ素子の整流回路入力点のマイナス側をそれぞれ結合するストリップ線路を有して、上記複数のレクテナ素子を並列に接続する合成回路とを備えたものである。
【００１４】
請求項９の発明に係るレクテナは、誘電体基板と、この誘電体基板上に設けられ、ループ状に形成したループアンテナ部、このループアンテナ部に対向して設けた摂動素子、上記誘電体基板上に設けられ、上記ループアンテナ部により受信したＲＦ電力を整流する整流回路を有する複数のレクテナ素子と、上記複数のレクテナ素子の整流回路を直列に接続して合成する合成回路とを備えたものである。
【発明の効果】
【００１５】
請求項１乃至請求項５に記載の発明によれば、誘電体基板の裏面に地導体を設けることなく円偏波アンテナを形成するので、構造上の簡素化を図ることができ、製造性が良い。また、誘電体基板を薄膜のフィルム基板とすることにより、円偏波アンテナの軽量化を図ることができる。
【００１６】
請求項６又は請求項７に記載の発明によれば、誘電体基板の裏面に地導体を設けることなく円偏波受信して整流するレクテナ素子を形成するので、構造上の簡素化を図ることができ、製造性が良い。また、誘電体基板を薄膜のフィルム基板とすることにより、レクテナ素子の軽量化を図ることができる。
【００１７】
請求項８又は請求項９に記載の発明によれば、誘電体基板の裏面に地導体を設けることなく円偏波受信して整流するレクテナを形成するので、構造上の簡素化を図ることができ、製造性が良い。また、誘電体基板を薄膜のフィルム基板とすることにより、レクテナの軽量化を図ることができる。
【発明を実施するための最良の形態】
【００１８】
実施の形態１
【００１９】
この発明の実施の形態１に係る円偏波アンテナを図１から図５に基づいて説明する。図１は、この発明の実施の形態１に係る円偏波アンテナの構成を示す構成図である。図１（ａ）は円偏波アンテナの正面図、図１（ｂ）は円偏波アンテナの断面図である。図１（ａ）において、１は誘電体基板、２はループアンテナ部、３は平衡線路、４は摂動素子である。ループアンテナ部２、平衡線路３及び摂動素子４は、誘電体基板１上に印刷やエッチング等の手段により形成している。ループアンテナ部２は一の円周に沿うように形成されており、平衡線路３に接続している。摂動素子４は、平衡線路３による給電方向（Ｘ軸方向）に対して４５度傾斜したループアンテナ部２の位置から中心方向に延在して形成した歯状の部分である。この摂動素子４は、ループアンテナ部２上の対向する２点から、向き合うように設けている。図１（ｂ）に示すように誘電体基板１の裏面には地導体を設けておらず、ループアンテナ部２、平衡線路３及び摂動素子４は、誘電体基板１の一方の面に形成する。
【００２０】
また、地導体を設けないこと、及び誘電体基板１の一方の面上においてループアンテナ部２と平衡線路３とを設けて給電を行うことにより、構造上の簡素化を図ることができ、また製造性も良い。また、誘電体基板１は、通常用いられる厚み数ｍｍの基板を使用することができるが、さらに厚みの薄い、薄膜のフィルム基板を用いることができる。ここで用いるフィルム基板の厚みは数十μｍから数百μｍのものを用いることができる。従来の円偏波用アンテナ素子においては地導体を設けており、この地導体とリングパッチアンテナによる放射界を用いるため、誘電体基板の厚みを薄くすると、十分な放射界特性（放射効率等）を得ることができないが、この実施の形態１における発明においては、地導体との関係が無くなるので誘電体基板１の厚みは製造可能である限り薄くすることができる。例えば、従来の地導体を有するパッチアンテナの場合、放射効率を９０％とするためには、Ｂ／λ値を約０．０２以上とする必要があり、具体的には、Ｃバンド（約５ＧＨｚ）においてＢ＝１．２ｍｍ以上、Ｘバンド（約７．５ＧＨｚ）においてＢ＝０．８ｍｍ以上とする必要がある。ここで、Ｂは誘電体基板の厚み、λは波長である。したがって、誘電体基板の膜厚を１ｍｍ以下（詳細にはＣバンドで１．２ｍｍ以下、Ｘバンドで０．８ｍｍ以下）とする場合に、従来の地導体付きパッチアンテナが放射効率９０％以下となって特性劣化することに対して、この発明に係る円偏波アンテナでは、このような特性劣化が原理的に生じない。また、従来の地導体を有するパッチアンテナの場合、放射効率を６０％とするためには、Ｂ／λ値を約０．００６以上とする必要があり、ＣバンドにおいてＢ＝０．３６ｍｍ以上、ＸバンドにおいてＢ＝０．２４ｍｍ以上となる。したがって、誘電体基板の膜厚を約０．３ｍｍ以下（詳細にはＣバンドで０．３６ｍｍ以下、Ｘバンドで０．２４ｍｍ以下）とする場合に、従来の地導体付きパッチアンテナが放射効率６０％以下となって特性劣化することに対して、この発明に係る円偏波アンテナでは、このような特性劣化が原理的に生じない。一方、誘電体基板の膜厚Ｂは、破断したり熱変形などの有害変形が生じない程度として、約０．０２ｍｍ以上の膜厚が必要であると考えられる。以上より、この発明に係る円偏波アンテナにおける誘電体基板の膜厚は、放射効率を６０％以上とする場合に０．０２ｍｍ以上０．３ｍｍ以下（上記のとおり、この０．３ｍｍという値はバンドにより変化する）、放射効率を９０％以上とする場合に０．０２ｍｍ以上１ｍｍ以下（上記のとおり、この１ｍｍという値はバンドにより変化する）とするときに、同じ膜厚による従来の地導体付きパッチアンテナに比べて放射特性が良好であると考えられる。
【００２１】
摂動素子４を設けない場合には、図１（ａ）に示すように電界方向はＥとなるが、ループアンテナ部２に摂動素子４を設けることによって、Ｅ１成分とＥ２成分を有する電界となる。これによって円偏波放射が可能となる。ここで摂動素子４のループアンテナ部２の中心方向の寸法（歯状の高さ）や幅を適切に設定することによって、Ｅ１及びＥ２成分の大きさが等しく、Ｅ１及びＥ２成分の位相差を９０度とすることができる。
【００２２】
このように形成した円偏波アンテナは、上記のとおり、厚みを薄くすることができるとともに、軽量化を図ることもできる。即ち、従来の地導体を有する円偏波アンテナの誘電体基板の厚みを例えば１ｍｍとし、この発明による円偏波アンテナの誘電体基板１の厚みを０．１ｍｍとすれば、この部分だけで重さを１／１０に軽減でき、また地導体を設けない分の重さ軽減を図ることができる。この円偏波アンテナは、後述するような空間伝送されるマイクロ波を受信整流して電力を生成するようなレクテナ（整流回路付アンテナ：ＲＥＣＴＩＦＹＩＮＧ  ＡＮＴＥＮＮＡ）への応用が期待できるものである。レクテナの開口面積が大きい場合にレクテナ全体の軽量化や、例えば既存の建築物の壁面等へ貼り付けて使用することができるなど、薄型の円偏波アンテナを形成することによる効果は大きい。
【００２３】
図２は、この発明の実施の形態１における別の実施例による円偏波アンテナの構成を示す構成図である。図２（ａ）は円偏波アンテナの正面図、図２（ｂ）は円偏波アンテナの断面図である。図２（ａ）において、５は摂動素子４をクランク型の形状とした摂動素子である。図２において、図１と同じ符号を付した部品及び回路は、図１におけるそれらの部品及び回路と同等又は相当する部品及び回路である。
【００２４】
図２（ａ）に示す摂動素子５は、図１（ａ）に示す摂動素子４をループアンテナ部２の外周側から中心に向けて切り欠き部分があるようなクランク形状となっており、摂動素子５のループアンテナ部２上の位置や、摂動素子５がループアンテナ部２の中心を挟んで対向して設けられている点は、摂動素子４と同じである。このように摂動素子５をクランク形状とすることによって、ループアンテナ部２の電気長を長くすることができ、同じ周波数であっても、図１に示すループアンテナ部２よりも図２に示すループアンテナ部２の外径寸法を小さくすることができる。
【００２５】
図３は、この発明の実施の形態１における別の実施例による円偏波アンテナの構成を示す構成図である。図３（ａ）は円偏波アンテナの正面図、図３（ｂ）は円偏波アンテナの断面図である。図３（ａ）において、６は摂動素子である。図３において、図１と同じ符号を付した部品及び回路は、図１におけるそれらの部品及び回路と同等又は相当する部品及び回路である。
【００２６】
摂動素子６は、平衡線路３による給電方向（Ｘ軸方向）に対して４５度傾斜したループアンテナ部２の位置に設けており、ループアンテナ部２から中心方向逆向き（即ち、ループアンテナ部２からその外部方向）に突起したクランク形状としたものである。この摂動素子６は、ループアンテナ部２上の対向する２点から、向き合うように設けている。ループアンテナ部２の電界は、摂動素子６を設けることによって、Ｅ１成分とＥ２成分を有する電界となる。これによって円偏波放射が可能となる。ここで摂動素子６のループアンテナ部２の中心方向の寸法（クランク形状の高さ）や幅を適切に設定することによって、Ｅ１及びＥ２成分の大きさが等しく、Ｅ１及びＥ２成分の位相差を９０度とすることができる。図２の場合と同様にクランク形状を設けることによってループアンテナ部２の電気長を長くすることができる。
【００２７】
図４は、この発明の実施の形態１における別の実施例による円偏波アンテナの構成を示す構成図である。図４（ａ）は円偏波アンテナの正面図、図４（ｂ）は円偏波アンテナの断面図である。図４において、図１乃至図３と同じ符号を付した部品及び回路は、図１乃至図３におけるそれらの部品及び回路と同等又は相当する部品及び回路である。
【００２８】
図４に示す円偏波アンテナのループアンテナ部２には、摂動素子４と摂動素子６とを設けている。このように摂動素子４と摂動素子６とを設けることによっても、ループアンテナ部２の電界を、Ｅ１成分とＥ２成分を有する電界とすることができ、円偏波放射が可能となる。なお、摂動素子４及び摂動素子６の寸法を適切に設定することによって、Ｅ１及びＥ２成分の大きさが等しく、Ｅ１及びＥ２成分の位相差を９０度とすることができる。
【００２９】
図５は、この発明の実施の形態１における別の実施例による円偏波アンテナの構成を示す構成図である。図５（ａ）は円偏波アンテナの正面図、図５（ｂ）は円偏波アンテナの断面図である。図５において、図１乃至図３と同じ符号を付した部品及び回路は、図１乃至図３におけるそれらの部品及び回路と同等又は相当する部品及び回路である。
【００３０】
図５に示す円偏波アンテナのループアンテナ部２には、摂動素子５と摂動素子６とを設けている。このように摂動素子５と摂動素子６とを設けることによっても、ループアンテナ部２の電界を、Ｅ１成分とＥ２成分を有する電界とすることができ、円偏波放射が可能となり、またループアンテナ部２の電気長を長くすることができる。なお、摂動素子５及び摂動素子６の寸法を適切に設定することによって、Ｅ１及びＥ２成分の大きさが等しく、Ｅ１及びＥ２成分の位相差を９０度とすることができる。
【００３１】
実施の形態２
【００３２】
この発明の実施の形態２に係るレクテナ素子を図６及び図７に基づいて説明する。図６は、この発明の実施の形態２に係るレクテナ素子の機能を示す機能ブロック図である。図６において、１０は空間伝送されてレクテナ素子に入射するマイクロ波（ＲＦ電力）であり、１１はループアンテナ部、１２はローパスフィルタ（以下、ＬＰＦ１２と記載する）、１３は整流回路であり、１４は整流回路１３から出力するＤＣ電力である。１５は、ループアンテナ部１１、ＬＰＦ１２、整流回路１３を接続して構成するレクテナ素子である。図７は、この発明の実施の形態２に係るレクテナ素子の構成を示す構成図である。図７に示すように、誘電体基板１の一方の面（表面）に、ループアンテナ部１１、ＬＰＦ１２、整流回路１３が形成し、接続している。誘電体基板１の裏側には地導体は設けていない。図７において、２０は抵抗、２１はダイオード、２２はコンデンサである。なお、図７において、図１と同じ符号を付した部品及び回路は、図１におけるそれらの部品及び回路と同等又は相当する部品及び回路である。
【００３３】
ループアンテナ部１１は、実施の形態１において図１乃至図５に説明したループアンテナ部２であり、各図１乃至図５に対応して摂動素子を有することによって円偏波放射するものである。図７には、図１の場合の摂動素子４を有するループアンテナ部２を示す。ループアンテナ部１１で受信したマイクロ波（ＲＦ電力）１０は、ＬＰＦ１２を介して整流回路１３に入力されＤＣ電力１４に変換して出力する。ここで、ＬＰＦ１２は、受信したＲＦ電力の高調波成分をカットするものであり、また、逆に給電側（整流回路１２側）からの受信電波の反射によってループアンテナ部２から空間へ再放射される高調波成分をカットするものである。空間伝送されるマイクロ波（ＲＦ電力）１０を受信し変換してＤＣ電力１４を得るという機能だけで見れば、ＬＰＦ１２を省略してループアンテナ部１１を整流回路１３に接続する構成とすることもできる。
【００３４】
図７に示すレクテナ素子は、図１乃至図５に示す円偏波アンテナと同様に誘電体基板１の表面である一方の面に設けている。地導体を設けないこと、及び誘電体基板の一方の面上においてループアンテナ部、ＬＰＦ、整流回路とを設けることにより、構造上の簡素化を図ることができ、また製造性も良い。このように誘電体基板１の裏面には地導体を設けていないので、誘電体基板１の厚みを薄くすることができ、実施の形態１に説明したとおり、数十μｍから数百μｍの薄膜のフィルム基板を用いることによって、軽量化を図ることもできる。
【００３５】
実施の形態３
【００３６】
この発明の実施の形態３に係るレクテナを図８及び図９に基づいて説明する。図８は、この発明の実施の形態３に係るレクテナの構成を示す構成図である。図８において、３０はレクテナ素子の整流回路入力点のプラス側端子を、３１はレクテナ素子１５の整流回路入力点のマイナス側端子を示す。３２は複数のレクテナ素子１５へのプラス側の給電点、３３は複数のレクテナ素子１５へのマイナス側の給電点である。３４はプラス側端子３０を接続するストリップ線路、３５はマイナス側端子３１を接続するストリップ線路である。なお、レクテナ素子１５は実施の形態２において図６及び図７により説明したレクテナ素子と同等のものである。
【００３７】
図８に示すように、誘電体基板１上に複数のレクテナ素子１５を配列し、広い面積のレクテナを形成する。各レクテナ素子１５は空間伝送されるマイクロ波（ＲＦ電力）を素子内のループアンテナにより受信する。ループアンテナは実施の形態１及び実施の形態２において説明したように摂動素子を有することによって円偏波を受信することができるものである。受信したマイクロ波（ＲＦ電力）はレクテナ素子１５内の整流回路によって整流されて、ＤＣ電力として出力する。ストリップ線路３４及びストリップ線路３５は、各レクテナ素子を接続するものである。ストリップ線路３４は整流回路の入力点のプラス側端子３０を、ストリップ線路３５はマイナス側端子３１を接続することにより、レクテナ素子の並列接続による合成回路を形成する。ストリップ線路３５は、誘電体基板の裏面側に設けている。各レクテナ素子の整流回路のマイナス側端子３１にはスルーホールを設けて、誘電体基板を表裏を電気的に接続して、マイナス側端子３１とストリップ線路３５を接続する。
【００３８】
図９は、この発明の実施の形態３に係る別の実施例によるレクテナの構成を示す構成図である。図９において、３６は、複数のレクテナ素子を接続するストリップ線路であり、行内の各レクテナ素子１５（図９において４つ）の整流回路入力点を直列接続し、行毎には並列接続する。このような接続によって誘電体基板１の一方の面に、レクテナ素子１５とストリップ線路３６のパターンを形成することができる。
【００３９】
図８及び図９に示すように形成したレクテナは、地導体を誘電体基板の裏側に設ける必要が無く、誘電体基板の厚みを薄くすることができるとともに、軽量化を図ることもできる。レクテナの開口面積が大きくなることによって、レクテナ全体の重量が大きくなることを抑制することができる。また、このように薄く軽く形成したレクテナは、例えば既存の建築物の壁面等へ貼り付けて使用することもできる。
【図面の簡単な説明】
【００４０】
【図１】この発明の実施の形態１に係る円偏波アンテナの構成を示す構成図である。
【図２】この発明の実施の形態１における別の実施例による円偏波アンテナの構成を示す構成図である。
【図３】この発明の実施の形態１における別の実施例による円偏波アンテナの構成を示す構成図である。
【図４】この発明の実施の形態１における別の実施例による円偏波アンテナの構成を示す構成図である。
【図５】この発明の実施の形態１における別の実施例による円偏波アンテナの構成を示す構成図である。
【図６】この発明の実施の形態２に係るレクテナ素子の機能を示す機能ブロック図である。
【図７】この発明の実施の形態２に係るレクテナ素子の構成を示す構成図である。
【図８】この発明の実施の形態３に係るレクテナの構成を示す構成図である。
【図９】この発明の実施の形態３に係る別の実施例によるレクテナの構成を示す構成図である。
【符号の説明】
【００４１】
１  誘電体基板
２  ループアンテナ部
３  平衡線路
４、５、６  摂動素子
１１  ループアンテナ部
１２  ローパスフィルタ
１３  整流回路
１５  レクテナ素子
３４、３５、３６  ストリップ線路
【図１】
2005340933.tif 000003
【図２】
2005340933.tif 000004
【図３】
2005340933.tif 000005
【図４】
2005340933.tif 000006
【図５】
2005340933.tif 000007
【図６】
2005340933.tif 000008
【図７】
2005340933.tif 000009
【図８】
2005340933.tif 000010
【図９】
2005340933.tif 000011